(57)【特許請求の範囲】
【請求項１】
キャッシュレスで運賃精算を行う運賃精算システムであって、
定期券として機能する定期券部とデビットカードとして機能するデビットカード部とを一体にした定期券と、
前記デビットカードの認証を行うための認証データを格納した非接触ＩＣカードと、
前記定期券の所有者が、定期券購入区間以外の区間を乗車した際、その運賃を精算するための運賃精算用のサーバと、
前記定期券の所有者が構内から退場する際通過する改札口に設けた改札装置と、
前記ＩＣカードに格納された前記認証データを前記ＩＣカードから読み出し、この読み出したデータと前記定期券内のデビットカードから読み出した顧客データとを照合し、デビットカードの認証を行うデビットカードの認証手段と、
前記認証手段でデビットカードが認証された後、前記定期券から読み出した精算区間等の運賃精算データ及び前記デビットカードの番号や決済機関等の決済データ、前記ＩＣカードから読み出した認証データを前記サーバに転送する前記改札装置に設けたデータ転送手段と、
前記転送された運賃精算データ、決済データ、認証データに基づき、運賃の精算処理を行う前記サーバに設けられた運賃精算手段と、
前記運賃精算手段の精算処理に基づき、前記改札装置のゲートの開閉を制御するゲート制御手段と、
で構成したことを特徴とする運賃精算システム。
【請求項２】
前記データ転送手段を介して前記サーバに転送されたデータは、一定の期間前記サーバ内に蓄積され、蓄積されたデータは、前記定期券の使用者のユーザ端末から閲覧出来ることを特徴とする請求項１記載の運賃精算システム。
【請求項３】
前記転送された運賃精算データ、決済データ、認証データに基づき、精算すべき運賃を顧客の銀行口座から引き落とす処理を依頼する決済処理手段を更に含むことを特徴とする請求項１記載の運賃精算システム。
【請求項４】
定期券として機能する定期券部とデビットカードとして機能するデビットカード部とを一体にした定期券と、前記デビットカードの認証を行うための認証データを格納した非接触ＩＣカードと、前記定期券の所有者が、定期券購入区間以外の区間を乗車した際、その運賃を精算するための運賃精算用のサーバと、前記定期券の所有者が構内から退場する際通過する改札口に設けた改札装置とを少なくとも備えた運賃精算システムの運賃の精算方法であって、
前記ＩＣカードに格納された前記認証データを前記ＩＣカードから読み出し、読み出したデータと前記定期券内のデビットカード部から読み出した顧客データとを照合し、デビットカードの認証を行う第１の工程と、
前記第１の工程でデビットカードが認証された後、前記定期券から読み出した精算区間等の運賃精算データ及び前記デビットカードの番号や決済機関等の決済データ、前記ＩＣカードから読み出した認証データを前記サーバに転送する第２の工程と、
前記サーバに転送された運賃精算データ、決済データ、認証データに基づき、運賃の精算処理を行う第３の工程と、
前記第３の工程での精算処理に基づき、前記改札装置のゲートの開閉を制御する第４の工程と、
を含むことを特徴とする運賃の精算方法。
【請求項５】
定期券として機能する定期券部とデビットカードとして機能するデビットカード部とを一体にした定期券と、前記デビットカードの認証を行うための認証データを格納した非接触ＩＣカードと、前記定期券の所有者が、定期券購入区間以外の区間を乗車した際、その運賃を精算するための運賃精算用のサーバと、前記定期券の所有者が構内から退場する際通過する改札口に設けた改札装置とを少なくとも備えた運賃精算システム用のコンピュータプログラムであって、
前記ＩＣカードに格納された前記認証データを前記ＩＣカードから読み出し、読み出したデータと前記定期券内のデビットカードから読み出した顧客データとを照合し、デビットカードの認証を行う第１の手順と、
前記第１の手順でデビットカードが認証された後、前記定期券から読み出した精算区間等の運賃精算データ及び前記デビットカードの番号や決済機関等の決済データ、前記ＩＣカードから読み出した認証データを前記サーバに転送する第２の手順と、
前記サーバに転送された運賃精算データ、決済データ、認証データに基づき、前記サーバが運賃の精算データを生成し、生成した精算データを前記改札装置のデータ受信手段が受信する第３の手順と、
前記受信した精算データに基づき、前記改札装置のゲートの開閉を制御する第４の手順と、
を実行させるためのコンピュータプログラム。
【発明の詳細な説明】
【０００１】
【発明の属する技術分野】
本発明は、運賃精算システムとその精算方法に係わり、特に、キャッシュレスで運賃精算を行うことを可能にした運賃精算システムとその精算方法に関する。
【０００２】
【従来の技術】
従来の定期券を利用した乗越し精算の方法は、終着駅で現金で精算するか、又は、プリペイドカードを用いて精算していた。しかし、プリペイドカードで精算する場合でも、プリペイドカードの残額が少ない場合、現金で精算しなければならず、この場合、精算用の長い行列に列ばなければならず、無駄な時間を浪費しなければならないという問題があった。
【０００３】
【発明が解決しようとする課題】
本発明の目的は、上記した従来技術の欠点を改良し、特に、キャッシュレスで運賃精算を行うことを可能にした新規な運賃精算システムとその精算方法を提供するものである。
【０００４】
また、本発明の他の目的は、上記運賃精算システム用のコンピュータプログラムを提供するものである。
【０００５】
【課題を解決するための手段】
本発明は上記した目的を達成するため、基本的には、以下に記載されたような技術構成を採用するものである。
【０００６】
即ち、本発明に係わる運賃精算システムの第１態様は、
キャッシュレスで運賃精算を行う運賃精算システムであって、
定期券として機能する定期券部とデビットカードとして機能するデビットカード部とを一体にした定期券と、
前記デビットカードの認証を行うための認証データを格納した非接触ＩＣカードと、
前記定期券の所有者が、定期券購入区間以外の区間を乗車した際、その運賃を精算するための運賃精算用のサーバと、
前記定期券の所有者が構内から退場する際通過する改札口に設けた改札装置と、
前記ＩＣカードに格納された前記認証データを前記ＩＣカードから読み出し、この読み出したデータと前記定期券内のデビットカードから読み出した顧客データとを照合し、デビットカードの認証を行うデビットカードの認証手段と、
前記認証手段でデビットカードが認証された後、前記定期券から読み出した精算区間等の運賃精算データ及び前記デビットカードの番号や決済機関等の決済データ、前記ＩＣカードから読み出した認証データを前記サーバに転送する前記改札装置に設けたデータ転送手段と、
前記転送された運賃精算データ、決済データ、認証データに基づき、運賃の精算処理を行う前記サーバに設けられた運賃精算手段と、
前記運賃精算手段の精算処理に基づき、前記改札装置のゲートの開閉を制御するゲート制御手段と、
で構成したことを特徴とするものであり、
叉、第２態様は、
前記データ転送手段を介して前記サーバに転送されたデータは、一定の期間前記サーバ内に蓄積され、蓄積されたデータは、前記定期券の使用者のユーザ端末から閲覧出来ることを特徴とするものであり、
叉、第３態様は、
前記転送された運賃精算データ、決済データ、認証データに基づき、精算すべき運賃を顧客の銀行口座から引き落とす処理を依頼する決済処理手段を更に含むことを特徴とするものである。
【０００７】
叉、本発明に係わる運賃精算システムの精算方法の態様は、
定期券として機能する定期券部とデビットカードとして機能するデビットカード部とを一体にした定期券と、前記デビットカードの認証を行うための認証データを格納した非接触ＩＣカードと、前記定期券の所有者が、定期券購入区間以外の区間を乗車した際、その運賃を精算するための運賃精算用のサーバと、前記定期券の所有者が構内から退場する際通過する改札口に設けた改札装置とを少なくとも備えた運賃精算システムの運賃の精算方法であって、
前記ＩＣカードに格納された前記認証データを前記ＩＣカードから読み出し、読み出したデータと前記定期券内のデビットカード部から読み出した顧客データとを照合し、デビットカードの認証を行う第１の工程と、
前記第１の工程でデビットカードが認証された後、前記定期券から読み出した精算区間等の運賃精算データ及び前記デビットカードの番号や決済機関等の決済データ、前記ＩＣカードから読み出した認証データを前記サーバに転送する第２の工程と、
前記サーバに転送された運賃精算データ、決済データ、認証データに基づき、運賃の精算処理を行う第３の工程と、
前記第３の工程での精算処理に基づき、前記改札装置のゲートの開閉を制御する第４の工程と、
を含むことを特徴とするものである。
【０００８】
叉、本発明に係わる運賃精算システム用のコンピュータプログラムの態様は、
定期券として機能する定期券部とデビットカードとして機能するデビットカード部とを一体にした定期券と、前記デビットカードの認証を行うための認証データを格納した非接触ＩＣカードと、前記定期券の所有者が、定期券購入区間以外の区間を乗車した際、その運賃を精算するための運賃精算用のサーバと、前記定期券の所有者が構内から退場する際通過する改札口に設けた改札装置とを少なくとも備えた運賃精算システム用のコンピュータプログラムであって、
前記ＩＣカードに格納された前記認証データを前記ＩＣカードから読み出し、読み出したデータと前記定期券内のデビットカードから読み出した顧客データとを照合し、デビットカードの認証を行う第１の手順と、
前記第１の手順でデビットカードが認証された後、前記定期券から読み出した精算区間等の運賃精算データ及び前記デビットカードの番号や決済機関等の決済データ、前記ＩＣカードから読み出した認証データを前記サーバに転送する第２の手順と、
前記サーバに転送された運賃精算データ、決済データ、認証データに基づき、前記サーバが運賃の精算データを生成し、生成した精算データを前記改札装置のデータ受信手段が受信する第３の手順と、
前記受信した精算データに基づき、前記改札装置のゲートの開閉を制御する第４の手順と、
を実行させるためのコンピュータプログラムである。
【０００９】
【発明の実施の形態】
本発明の運賃精算システムは、鉄道の定期券にデビットカード機能を付与し、乗越しや所定の定期区間外の利用、及び他社路線利用時には、そのまま自動改札を通過させ、改札口を出る際、精算金額をユーザの個人銀行口座から決済するように構成することで、精算に要する手間、時間を大幅に短縮するものである。
【００１０】
デビットカードの個人認証は、ユーザが自動改札を通過時する際、別に所有する非接触タイプのＩＣカード（又はバッジ等の同等の機能を有するもの）を用いることで認証を行い、安全性の確保と不正利用の防止を可能にする。
【００１１】
図１において、駅２０と駅３０区間の定期券を保有するユーザが、駅２０から乗車し、駅４０で降車した場合、乗越し区間（駅３０から駅４０の区間）の精算は、駅４０の自動改札通過時に、運賃精算データがサービスセンタ６０のサーバ６１に送信され、事前に登録されているユーザの銀行口座７０から決済される。
【００１２】
精算等のサービスの利用状況（精算金額、区間、利用日時等）は、サービスセンタ６０に設けられたサーバ６１内に一定期間保存され、ユーザーのＰＣ端末１０からインターネット経由で個人パスワードを使って閲覧することができる。
【００１３】
また、利用区間を提携する他社鉄道やバス路線に拡張することで、ユーザの利便性を一層高めることもできる。
【００１４】
更に、乗越しだけでなく、駅４０で乗車し、駅５０で降車するといった定期券購入区間外での利用でも、上記と同様方法で精算・決済することで、切符購入の手間と時間とを省くことが可能となる。
【００１５】
【実施例】
以下に、本発明に係わる運賃精算システムとその精算方法の実施例を図面を参照しながら詳細に説明する。
【００１６】
図１は、本発明の全体構成を示す図、図２は、ユーザが改札口を通過する際の状態を示した図、図３は、本発明に係わる運賃精算システムの要部の構成を示す図、図４は、本発明の動作を示したフローチャートであって、これらの図には、
キャッシュレスで運賃精算を行う運賃精算システムであって、
定期券として機能する定期券部１ａとデビットカードとして機能するデビットカード部１ｂとを一体にした定期券１と、
前記デビットカードの認証を行うための認証データを格納した非接触ＩＣカード２と、
前記定期券１の所有者が、定期券購入区間以外の区間を乗車した際、その運賃を精算するための運賃精算用のサーバ６１と、
前記定期券１の所有者が構内から退場する際通過する改札口に設けた改札装置８０と、
前記ＩＣカード２に格納された前記認証データを前記ＩＣカード２から読み出し、この読み出したデータと前記定期券１内のデビットカード１ｂから読み出した顧客データとを照合し、デビットカード１ｂの認証を行うデビットカードの認証手段８２と、
前記認証手段８２でデビットカードが認証された後、前記定期券１から読み出した精算区間等の運賃精算データ及び前記デビットカードの番号や決済機関等の決済データ、前記ＩＣカード２から読み出した認証データを前記サーバ６１に転送する前記改札装置８０に設けたデータ転送手段８３と、
前記転送された運賃精算データ、決済データ、認証データに基づき、運賃の精算処理を行う前記サーバ６１に設けられた運賃精算手段６２と、
前記運賃精算手段６２の精算処理に基づき、前記改札装置８０のゲート８７の開閉を制御するゲート制御手段８６と、
で構成したことを特徴とする運賃精算システムが示され、
更に、前記転送された運賃精算データ、決済データ、認証データに基づき、精算すべき運賃を顧客の銀行口座から引き落とす処理を依頼する決済処理手段６３を更に含むことを特徴とする運賃精算システムが示されている。
【００１７】
以下に、本発明を更に詳細に説明する。
【００１８】
図１に示されている通り、本発明の運賃精算システムでは、各駅の自動改札装置（２０、３０、４０及び５０）と、課金管理や請求処理、顧客サービス等を行うサービスセンタ６０のサーバ６１とが通信回線で接続されている。
【００１９】
サーバ６１は、利用者の乗り越し等の精算処理を行うと共に、本発明の定期券の乗り越し等のためのサービス利用状況（精算金額、区間、利用日時等）を一定期間保存し、インターネット上で、ユーザのＰＣ端末１０からの要求に応じ、利用状況に関する情報を提供するように構成している。また、サーバ６１は、一定期間の利用状況をユーザのＰＣ端末１０に対し、ｅメールで通知する他、ユーザからの本発明の定期券の利用に関するクレーム等を受付ける機能をも有している。
【００２０】
銀行７０には、各ユーザの預金口座が開設されており、サービスセンタ６０からの精算データに基づき、精算金額が決済されるようになっている。
【００２１】
なお、精算金額を決済するにあたっては、安全性を確保するため、個人認証が必要である。個人認証は、図２に示すように、各ユーザが購入している所定の区間外の経路を、乗り越し、乗り越した駅改札４０を出る際、本発明の定期券１の他に、非接触タイプのＩＣカード２を携帯し、改札装置に設置８０された読取装置８４により、ＩＣカード２の認証データを読み出し、定期券１内のデビットカードの顧客データと照合することで、個人認証を行うようになっている。更に、個人口座から引き落とし処理を依頼する段階でも、再度、認証データが確認される用になっている。
【００２２】
次に、本発明の精算方法について具体的に説明する。
（１）本発明の定期券を用いて定期購入区間内を乗車する場合、
図５において、Ａ駅からＢ駅迄が利用者が購入した定期券の区間とする。
【００２３】
図５（ａ）に示すように、例えば、区間ＡＢ間のＣ駅から乗車し、区間ＡＢ間のＤ駅で下車する場合を考える。この場合、乗車駅であるＣ駅の改札装置を通過する際、定期券１には、乗車駅がＣ駅であることが記録され、この状態でＤ駅の改札装置８０を通過する。このとき、改札装置８０に設けられた区間外利用検出手段８１は、当該定期券の利用が、正規の乗車区間内の利用であることを検出し、この信号が、直ちにゲート制御手段８６に入力されるから、ゲート８７が開き、利用者は、精算を必要とせずに駅構外に出ることが出来る。
（２）本発明の定期券を用いて乗り越しの精算を行う場合、
図５（ｂ）に示すように、例えば、区間ＡＢ間のＡ駅から乗車し、乗り越してＥ駅で下車する場合を考える。この場合、乗車駅であるＡ駅の改札装置を通過する際、定期券１には、乗車駅がＡ駅であることが記録され、この状態で区間外のＥ駅の改札装置８０を通過する。このとき、改札装置８０の区間外利用検出手段８１は、当該利用が、正規の乗車区間内の利用でないことを検出し、直ちに、ユーザの非接触ＩＣカード２から、認証データの読み出しを行う。認証データが読み出されると、認証手段８２は、読み出したデータと定期券内１のデビットカードから読み出した顧客データとを照合し、デビットカードの認証を行う。認証手段３でデビットカードが認証されると、定期券１から読み出した利用日時、精算区間等の運賃精算データ及びデビットカードの番号や決済機関等の決済データ、更に、ＩＣカード２から読み出した認証データ等の精算データ８０ａは、サーバ６１に転送される。サーバ６１に設けられた運賃精算手段６２は、転送された運賃精算データ、決済データに基づき、運賃の精算処理を行い、精算完了した旨のデータは、改札装置８０の受信手段８５を介してゲート制御手段８６に入力され、ゲート制御手段８６がゲート８７を開いて、利用者の通過を促す。
【００２４】
この一連の工程において、所定時間内にＩＣカード２からデータの読み出しが出来ない時や、デビットカードの認証が出来ない時、更には、定期券の使用期日が過ぎているような場合には、データがサーバ６１に転送されないから、精算が出来ず、この場合は、ゲート８７が開かず、利用者に対して、自動的にアナウンス等を発して、窓口等で精算を行うように促す。
【００２５】
なお、運賃の精算処理の際、利用日、利用会社、利用金額等の運賃精算データと個人認証データとは、サービスセンタ６０のサーバ６１から、ユーザ口座が開設されている銀行のコンピュータ７０に送信され、これらのデータに基づき精算金額の決済が行われ、同時に、精算データ（精算金額、利用区間、利用日時等の）はサービスセンタ６０のサーバ６１に記録される。
（３）本発明の定期券を用い、初め定期購入区間外を利用し、続いて利用区間内を乗車する場合、
図５（ｃ）に示すように、例えば、区間外のＦ駅で乗車し、区間ＡＢ内のＢ駅で下車する場合を考える。この場合、乗車駅であるＦ駅の改札装置を通過する際、定期券１には、乗車駅がＦ駅であることが記録され、この状態で区間内のＢ駅の改札装置８０を通過する。このとき、改札装置８０の精算検出手段は、当該利用が、正規の乗車区間内の利用でないことを検出し、直ちに、ユーザの非接触ＩＣカードから、認証データの読み出しを行う。認証データが読み出されると、認証手段８２は、読み出したデータと定期券内１のデビットカードから読み出した顧客データとを照合し、デビットカードの認証を行う。認証手段８２でデビットカードが認証されると、定期券１から読み出した精算区間等の運賃精算データ及びデビットカードの番号や決済機関等の決済データ、更に、ＩＣカード２から読み出した認証データをサーバ６１に転送する。サーバ６１に設けられた運賃精算手段６２は、転送された運賃精算データ、決済データに基づき、運賃の精算処理を行い、精算完了した旨のデータは、改札装置８０の受信手段８５を介してゲート制御手段８６に入力され、ゲート制御手段８６がゲート８７を開いて、利用者の通過を促す。
【００２６】
この場合においても、所定時間内にＩＣカード２からデータの読み出しが出来ない時や、デビットカードの認証が出来ない時、更には、定期券の使用期日が過ぎているような場合には、データがサーバ６１に転送されないから、精算が出来ず、この場合は、ゲート８７が開かず、利用者に対して、自動的にアナウンス等を発して、窓口等で精算を行うように促す。
（４）上記したように、本発明の定期券を用いれば、全く定期券を持たない利用者も、定期券利用者と同様に、任意の駅で乗車又は下車しても、定期券の利用者と同様に、現金を用いることなしに、運賃の精算を行うことが出来る。
【００２７】
上記したように構成する他、ユーザが、定期券をＷｅｂ上で購入手続きを行うと共に、代金は、ユーザの銀行口座で決済するように構成することも可能である。
【００２８】
本発明では、上記した一連の工程をコンピュータで制御するため、図４に示した以下のようなコンピュータプログラムを設けている。
【００２９】
即ち、定期券として機能する定期券部とデビットカードとして機能するデビットカード部とを一体にした定期券と、前記デビットカードの認証を行うための認証データを格納した非接触ＩＣカードと、前記定期券の所有者が、定期券購入区間以外の区間を乗車した際、その運賃を精算するための運賃精算用のサーバと、前記定期券の所有者が構内から退場する際通過する改札口に設けた改札装置とを少なくとも備えた運賃精算システム用のコンピュータプログラムであって、
前記ＩＣカードに格納された前記認証データを前記ＩＣカードから読み出し、読み出したデータと前記定期券内のデビットカードから読み出した顧客データとを照合し、デビットカードの認証を行う第１の手順（ステップＳ１）と、
前記第１の手順でデビットカードが認証された後、前記定期券から読み出した精算区間等の運賃精算データ及び前記デビットカードの番号や決済機関等の決済データ、前記ＩＣカードから読み出した認証データを前記サーバに転送する第２の手順（ステップＳ２）と、
前記サーバに転送された運賃精算データ、決済データ、認証データに基づき、前記サーバが運賃の精算データを生成し、生成した精算データを前記改札装置のデータ受信手段が受信する第３の手順（ステップＳ３）と、
前記受信した精算データに基づき、前記改札装置のゲートの開閉を制御する第４の手順（ステップＳ４）とを実行させるためのコンピュータプログラムを設けている。
【００３０】
【発明の効果】
本発明に係わる運賃精算システムとその精算方法は、上述のように構成したので、以下のような効果を奏する。
（１）定期券とデビット決済機能との組み合わせにより、キャッシュレスの利便性が向上し、混雑時の手間と時間とを解消できる。
（２）本発明の定期券のみで、各種公共交通機関（ＪＲ、私鉄、地下鉄、バスなど）の精算が可能となる。これまでは、現金、又は、ＪＲのイオカード、地下鉄のメトロカード、私鉄の各種プリペイドカードを持つ必要があった。プリペイドカードは、カード額面が限られており、往々にして残額不足が発生している。
（３）デビットカード利用には個人認証が必要であるが、非接触タイプのＩＣカードからの認証データを読み取ることで、容易且つスピーディに個人認証を行うことができる。
（４）ユーザが、自分の利用状況をインターネット上で確認でき、また、サービスセンタへのクレームの申し立てや、本発明の定期券の使用停止等の手続きをＷｅｂ上で行うことができるから、利便性が更に向上する。
【図面の簡単な説明】
【図１】本発明に係わる運賃精算システムの全体構成を示す図である。
【図２】ユーザが改札口を通過する際の状態を示した図である。
【図３】本発明に係わる運賃精算システムの要部の構成を示す図である。
【図４】本発明の動作を示したフローチャートである。
【図５】本発明の動作を具体的に説明するするための図である。
【符号の説明】
１  定期券
１ａ  定期券部
１ｂ  デビットカード部
１０  ユーザ端末
６０  サービスセンタ
６１  サーバ
６２  サーバに設けられた精算手段
７０  銀行のサーバ
８０  改札装置
８０ａ  精算データ
８１  区間外利用検出手段
８２  認証手段
８３  データ転送手段
８４  データ読取手段
８５  データ受信手段
８６  ゲート制御手段
８７  ゲート
【図１】
0003633516.tif 000002
【図２】
0003633516.tif 000003
【図３】
0003633516.tif 000004
【図４】
0003633516.tif 000005
【図５】
0003633516.tif 000006